(57)【要約】【課題】遊技機に備わるリールユニットの設置位置を調整可能とする。【解決手段】遊技機１は前面扉２が開閉する筐体１ａを備える。筐体１ａは、外周面に図柄を配列して回転する複数のリール３Ｌ・３Ｃ・３Ｒを有するリールユニット３０を内部に備える。前面扉２は、リールユニット３０の図柄を視認可能な表示窓２０Ｌ・２０Ｃ・２０Ｒを備える。第１移動機構部４１（第１移動手段）は、表示窓２０Ｌ・２０Ｃ・２０Ｒに対してリールユニット３０を水平方向に移動させる。第２移動機構部４２（第２移動手段）は、表示窓２０Ｌ・２０Ｃ・２０Ｒに対してリールユニット３０を昇降させる。【選択図】図２
2009028329.tif 000002
【特許請求の範囲】
【請求項１】
前面扉が開閉する筐体を備える遊技機であって、
前記筐体は、外周面に図柄を配列して回転する複数のリールを有するリールユニットを内部に備え、
前記前面扉は、前記リールユニットの図柄を視認可能な表示窓を備え、
この表示窓に対して前記リールユニットを水平方向に移動させる第１移動手段と、
前記表示窓に対して前記リールユニットを昇降させる第２移動手段と、を有することを特徴とする遊技機。
【請求項２】
前記リールユニットを保持する固定基板と、
この固定基板の下方に平行配置される移動基板と、
この移動基板の下方に平行配置されて前記筐体の内部に保持される台座と、を備え、
前記移動基板は、前記固定基板の底面に連結して前記リールユニットの水平方向の移動のみを許容する滑動手段を有し、
前記台座は、前記移動基板の底面に連結して当該移動基板の昇降運動のみを許容するリンク機構を有し、
前記第１移動手段は、前記固定基板の上面に設置されて前記滑動手段の移動方向と直交する方向に出力軸を突出する第１モータと、この第１モータの出力軸の先端部に取り付けられるピニオンと、前記移動基板に設けられて前記ピニオンの回転が伝動されるラックと、を有し、
前記第１モータを駆動すると前記移動基板に対して前記固定基板が自走し、前記表示窓に対して前記リールユニットを水平方向に移動することを特徴とする請求項１記載の遊技機。
【請求項３】
前記滑動手段は、前記移動基板に固定される一対のレールと、これらレールにスライド可能に連結して前記固定基板の底面に固定される複数のリニアガイドと、を有することを特徴とする請求項２記載の遊技機。
【請求項４】
前記リンク機構は、一端部が前記移動基板の一方の端部の両翼に回転結合して他端部が前記台座の他方の端部の両翼にすべり結合する一対の揺動リンクと、一端部が前記台座の一方の端部の両翼に回転結合して他端部が前記移動基板の他方の端部の両翼にすべり結合する一対の規制リンクと、前記一対の揺動リンクの他端部同士を連結する連結リンクと、を備え、
前記揺動リンクと前記規制リンクとの中点同士を回転結合して交差するように構成し、
前記連結リンクを進退させると前記移動基板を昇降させる直線運動に変換されることを特徴とする請求項２又は３記載の遊技機。
【請求項５】
前記第２移動手段は、前記リンク機構に直線運動をおこさせる第２モータを有し、
この第２モータを駆動すると前記台座に対して前記移動基板が昇降し、前記表示窓に対して前記リールユニットを昇降することを特徴とする請求項４記載の遊技機。
【請求項６】
前記前面扉は、上下左右にスイッチを有する十字状の四方向キーを備え、
前記四方向キーを左右に操作すると前記第１モータを回転させて前記リールユニットを水平方向に移動させ、前記四方向キーを上下に操作すると前記第２モータを回転させて前記リールユニットを昇降させることを特徴とする請求項５記載の遊技機。
【請求項７】
前記第１モータ及び／又は第２モータは、遠隔操作されることを特徴とする請求項５又は６記載の遊技機。
【発明の詳細な説明】
【技術分野】
【０００１】
本発明は、遊技機に関する。特に、複数の図柄を変動表示する変動表示部として、機械的に回転駆動される複数のリールを有する変動表示装置（以下、リールユニットという）を備える遊技機であって、このリールユニットの設置位置を任意に変える遊技機の構造に関する。
【背景技術】
【０００２】
例えば、遊技機の一種であるパチスロ機やスロットマシンは、外周面に所定間隔で表示された複数種類の図柄を有する図柄列が描かれた複数のリールを回転自在に横方向に並列配置している。そして、複数の図柄を変動表示するリールユニットを遊技機の本体の中央部に配置している。遊技者は、この本体の正面の表示窓を通して、各リールの図柄をそれぞれ観察できる。
【０００３】
しかし、前述のような従来の遊技機では、ホールなどの暗い環境で遊技を行う場合、遊技者は、表示窓を介して変動する図柄を正確に見極めようとして、顔を表示窓に近づかせる前屈姿勢になりがちである。このような人体にとって不自然な前屈姿勢では、遊技者によっては、いわゆる、目押し操作が上手くできないという不具合があった。
【０００４】
前述した不具合に対して、本体内部に設けられる変動表示装置（リールユニット）と、遊技者が対面する前面扉の背後においてリールユニットを前後動させる駆動手段（ラック・ピニオン機構）と、駆動手段によるリールユニットの移動を制御する制御手段と、リールユニットが前方に移動できるように前面扉の表面から遊技者側に突出する表示窓と、を備える遊技機が発明されている（例えば、特許文献１参照）。
【０００５】
特許文献１による遊技機は、リールユニットが前面扉の背後において駆動手段により前後動させられながら、表示窓を介して図柄を遊技者に視認させる。このため、遊技者は、前面扉の表面から遊技者側に突出した表示窓に近接する位置までリールユニットが前方に移動したとき、不自然な前屈姿勢になることなく、表示窓を介して変動する図柄を正確に視認でき、容易に目押し操作ができる。
【特許文献１】特開２００６−７５４５２号公報
【発明の開示】
【発明が解決しようとする課題】
【０００６】
しかし、遊技者が表示窓を介して変動する図柄を注視する視線には個人差がある。例えば、表示窓に描かれたセンターライン（表示ライン）に回転移動してくる図柄に注視する遊技者がいる。一方、センターラインに停止する図柄を予測するために、センターラインよりも上方の図柄に注視する遊技者がいる。更に、左方から図柄を注視することが得意な遊技者もおり、右方から図柄を注視することが得意な遊技者もいる。特許文献１による遊技機は、このような遊技者の個人差に配慮している訳ではなかった。
【０００７】
一方、遊技者が得意な視線を維持していくためには、眼球を動かすというよりも、無意識に首を動かしていることが多い。このため、長時間の遊技では、快適に遊技できないという問題があった。又、一般に、遊技場に設置されている椅子は、高さが調整できず、遊技者が得意な視線を維持していくためには不便であった。
【０００８】
遊技者にとって得意な視線を維持できるように、リールユニットの設置位置を変えることができれば、便利であり快適に遊技できる。この場合、遊技者自らの操作により、リールユニットの設置位置を調整できることが好ましく、例えば、遠隔操作により店側でリールユニットの設置位置を調整してもよい。このように、リールユニットの設置位置を調整できる遊技機が望まれる。そして、以上のことが、本発明の課題といってよい。
【０００９】
本発明は、このような問題に鑑みてなされたものであり、遊技機に備わるリールユニットの設置位置を調整可能な遊技機を提供することを目的とする。
【課題を解決するための手段】
【００１０】
本発明者は、上記目的を達成するため、前面扉に設けられた表示窓に対向して筐体内部に設置されるリールユニットを備える遊技機であって、表示窓に対してリールユニットを水平方向に移動させる第１移動手段と、表示窓に対してリールユニットを昇降させる第２移動手段とを設けることにより、リールユニットの設置位置を調整できることを見出し、これに基づいて、以下のような新たな遊技機を発明するに至った。
【００１１】
（１）  前面扉が開閉する筐体を備える遊技機であって、前記筐体は、外周面に図柄を配列して回転する複数のリールを有するリールユニットを内部に備え、前記前面扉は、前記リールユニットの図柄を視認可能な表示窓を備え、この表示窓に対して前記リールユニットを水平方向に移動させる第１移動手段と、前記表示窓に対して前記リールユニットを昇降させる第２移動手段と、を有することを特徴とする遊技機。
【００１２】
（１）の発明による遊技機は、前面扉が開閉する筐体を備えている。筐体は、リールユニットを内部に備えている。リールユニットは、外周面に図柄を配列して回転する複数のリールを有している。前面扉は表示窓を備えている。表示窓は、リールユニットの図柄を視認可能となっている。そして、（１）の発明による遊技機は、表示窓に対してリールユニットを水平方向に移動させる第１移動手段と、表示窓に対してリールユニットを昇降させる第２移動手段と、を有している。
【００１３】
（１）の発明による遊技機は、表示窓に対してリールユニットを水平方向に移動させる第１移動手段と、表示窓に対してリールユニットを昇降させる第２移動手段と、を有しているので、遊技者にとって得意な視線で図柄を視認できて便利であり快適に遊技できる。
【００１４】
（２）  前記リールユニットを保持する固定基板と、この固定基板の下方に平行配置される移動基板と、この移動基板の下方に平行配置されて前記筐体の内部に保持される台座と、を備え、前記移動基板は、前記固定基板の底面に連結して前記リールユニットの水平方向の移動のみを許容する滑動手段を有し、前記台座は、前記移動基板の底面に連結して当該移動基板の昇降運動のみを許容するリンク機構を有し、前記第１移動手段は、前記固定基板の上面に設置されて前記滑動手段の移動方向と直交する方向に出力軸を突出する第１モータと、この第１モータの出力軸の先端部に取り付けられるピニオンと、前記移動基板に設けられて前記ピニオンの回転が伝動されるラックと、を有し、前記第１モータを駆動すると前記移動基板に対して前記固定基板が自走し、前記表示窓に対して前記リールユニットを水平方向に移動することを特徴とする（１）記載の遊技機。
【００１５】
（２）の発明による遊技機は、固定基板、移動基板、及び台座を備えている。固定基板は、リールユニットを保持している。移動基板は、固定基板の下方に平行配置されている。台座は、移動基板の下方に平行配置されて、筐体の内部に保持されている。又、移動基板は、滑動手段を有している。滑動手段は、前記固定基板の底面に連結して、リールユニットの水平方向の移動のみを許容する。台座は、リンク機構を有している。リンク機構は、移動基板の底面に連結して、移動基板の昇降運動のみを許容する。
【００１６】
又、（２）の発明による遊技機は、第１移動手段が、第１モータ、ピニオン、及びラックを有している。第１モータは、固定基板の上面に設置されて、滑動手段の移動方向と直交する方向に出力軸を突出している。ピニオンは、第１モータの出力軸の先端部に取り付けられている。ラックは、移動基板に設けられて、ピニオンの回転が伝動される。
【００１７】
そして、（２）の発明による遊技機は、第１モータを駆動すると、移動基板に対して固定基板が自走し、表示窓に対してリールユニットを水平方向に移動する。
【００１８】
例えば、固定基板は、リールユニットを着脱自在に保持してよく、移動基板の上方に平行配置される。台座は、筐体の内部を仕切る棚に保持される。滑動手段は、後述するように、一対のレールと複数のリニアガイドとで構成してもよく、一対のスライド軸とこれらスライド軸に滑り結合する軸受とで構成してもよい。固定基板の底面に連結して、固定基板の水平方向の移動のみを許容する滑動手段は、（２）の発明に全て含まれる。
【００１９】
移動基板の昇降運動のみを許容するリンク機構は、後述する「スコットラッセルの機構」を応用した直線運動装置を適用できるが、このリンク機構は、後述する「スコットラッセルの機構」に限定されない。パンタグラフ機構や近似直線運動機構であってもよい。
【００２０】
第１モータは、第１モータの回転速度を減速して出力する歯車減速器を直結してよく、この歯車減速器も第１モータに含まれる。第１モータが固定基板の上面に設置されるとは、第１モータ本体が固定基板の上面に固定される態様を含み、歯車減速器が固定基板の上面に固定される態様を含むことができる。第１モータは、レバーシブルモータが好ましい。第１モータは、リールユニットに隣接して保持されることが好ましく、出力軸が筐体の背面に向けて突出するように配置されることが好ましい。
【００２１】
第１モータの出力軸の先端部に取り付けられるピニオンと、移動基板に設けられるラックとは、これら２軸が平行に配置されてよく、ピニオンは、第１モータの回転及び動力をラックに確実に伝動する。回転の速い小歯車がピニオンであってよく、ギアの歯数が無限大であり、ピッチ円筒が平面となった回転の遅い大歯車がラックであってよく、ラックとピニオンが連結されるラック・ピニオン機構は、小歯車の回転運動を大歯車の直線運動に変換している。
【００２２】
ラック・ピニオン機構は、回転運動を直ちに直線運動に変換できるというメリットがある。又、ラック・ピニオン機構は、ピニオンを停止したときにラックが容易に移動しないという利点がある。更に、ラック・ピニオン機構は、ピニオンの歯数を適宜に選択すれば、ラックの微細移動も可能である。つまり、リールユニットを水平方向に微細に移動できる。
【００２３】
（２）の発明による遊技機は、ラック・ピニオン機構を用いてリールユニットを水平方向に移動させるので、リールユニットの水平方向の設置位置を微細に調整できる。又、後述する四方向キーの操作や遠隔操作でリールユニットの水平方向の設置位置を微細に調整できる。
【００２４】
（３）  前記滑動手段は、前記移動基板に固定される一対のレールと、これらレールにスライド可能に連結して前記固定基板の底面に固定される複数のリニアガイドと、を有することを特徴とする（２）記載の遊技機。
【００２５】
（３）の発明による遊技機は、リールユニットを円滑に水平移動できる。
【００２６】
（４）  前記リンク機構は、一端部が前記移動基板の一方の端部の両翼に回転結合して他端部が前記台座の他方の端部の両翼にすべり結合する一対の揺動リンクと、一端部が前記台座の一方の端部の両翼に回転結合して他端部が前記移動基板の他方の端部の両翼にすべり結合する一対の規制リンクと、前記一対の揺動リンクの他端部同士を連結する連結リンクと、を備え、前記揺動リンクと前記規制リンクとの中点同士を回転結合して交差するように構成し、前記連結リンクを進退させると前記移動基板を昇降させる直線運動に変換されることを特徴とする（２）又は（３）記載の遊技機。
【００２７】
（４）の発明による遊技機は、リンク機構が、一対の揺動リンク、一対の規制リンク、及び連結リンクを備えている。一対の揺動リンクは、これらの一端部が移動基板の一方の端部の両翼に回転結合している。又、一対の揺動リンクは、これらの他端部が台座の他方の端部の両翼にすべり結合している。一対の規制リンクは、これらの一端部が台座の一方の端部の両翼に回転結合している。又、一対の規制リンクは、これらの他端部が移動基板の他方の端部の両翼にすべり結合している。連結リンクは、一対の揺動リンクの他端部同士を連結している。
【００２８】
そして、（４）の発明による遊技機は、揺動リンクと規制リンクとの中点同士を回転結合して交差するように構成している。連結リンクを進退させると、移動基板を昇降させる直線運動に変換される。
【００２９】
ここで、揺動リンクの他端部は、台座の上面に沿ってスライドしてよく、直線運動が確保される。又、規制リンクの他端部は、移動基板の下面（底面）に沿ってスライドしてよく、直線運動が確保される。
【００３０】
規制リンクの一端部の回転中心と揺動リンクの他端部の移動中心を結ぶ直線と、規制リンクの一端部の回転中心と揺動リンクの一端部の回転中心を結ぶ直線とは、規制リンクの一端部の回転中心で直交するように配置してよく、揺動リンクの他端部を進退すると、揺動リンクの一端部を昇降させる直線運動に変換できる。このような、一つのリンクの直線運動からこれと直交する方向の厳正直線運動を得るリンク機構は、「スコットラッセルの機構」と呼ばれている。
【００３１】
一対の揺動リンクの他端部（すなわち、連結リンク）を一対の規制リンクの一端部に近づけると、一対の揺動リンクの一端部、及び一対の規制リンクの他端部が一対の規制リンクの一端部から遠ざかる。すなわち、移動基板を上昇できる。一方、一対の揺動リンクの他端部（すなわち、連結リンク）を一対の規制リンクの一端部に遠ざけると、一対の揺動リンクの一端部、及び一対の規制リンクの他端部が一対の規制リンクの一端部に近づく。すなわち、移動基板を下降できる。
【００３２】
連結リンクは、後述する第２モータの回転力が適宜な動力伝達手段で直線運動に変換されて進退してよく、リールユニットを微細に昇降できる。ここで、「スコットラッセルの機構」を応用したリンク装置は、移動基板と台座と間にコンパクトに収容（配置）できるというメリットがある。
【００３３】
（５）  前記第２移動手段は、前記リンク機構に直線運動をおこさせる第２モータを有し、この第２モータを駆動すると前記台座に対して前記移動基板が昇降し、前記表示窓に対して前記リールユニットを昇降することを特徴とする（４）記載の遊技機。
【００３４】
第２モータは、台座に保持されてよく、出力軸が筐体の背面に向けて突出するように配置されることが好ましい。第２モータは、適宜な動力伝達手段でリンク機構に直線運動をおこさせることができる。
【００３５】
例えば、連結リンクは、ボールブッシュを備え、台座は、ボールブッシュに連結するボールねじと、ボールねじと直交配置される回転軸と、を備え、回転軸の両端に備わる一対の傘歯車に、第２モータの出力軸に設けられた傘歯車と、ボールねじの一端部に設けられた傘歯車とがそれぞれ噛み合って、動力の伝達する向きを変えて第２モータの回転運動をリンク機構の直線運動に変換する動力伝達手段が考えられる。
【００３６】
（５）の発明による遊技機は、第２モータの回転力がリンク機構に伝達されてリールユニットを昇降させるので、リールユニットの昇降位置を微細に調整できる。
【００３７】
（６）前記前面扉は、上下左右にスイッチを有する十字状の四方向キーを備え、前記四方向キーを左右に操作すると前記第１モータを回転させて前記リールユニットを水平方向に移動させ、前記四方向キーを上下に操作すると前記第２モータを回転させて前記リールユニットを昇降させることを特徴とする（５）記載の遊技機。
【００３８】
（６）の発明による遊技機は、遊技者自らの四方向キーの操作により、遊技者の得意な視線に合致するように、リールユニットの設置位置を調整できる。
【００３９】
（７）  前記第１モータ及び／又は第２モータは、遠隔操作されることを特徴とする（５）又は（６）記載の遊技機。
【００４０】
（７）の発明による遊技機は、例えば、客層に合わせて遠隔操作により店側でリールユニットの設置位置を調整できる。
【発明の効果】
【００４１】
本発明による遊技機は、表示窓に対してリールユニットを水平方向に移動させる第１移動手段と、表示窓に対してリールユニットを昇降させる第２移動手段と、を有しているので、遊技者にとって得意な視線で図柄を視認できて便利であり快適に遊技できる。又、本発明による遊技機は、遊技者自らの四方向キーの操作により、遊技者の得意な視線に合致するように、リールユニットの設置位置を調整できる。
【発明を実施するための最良の形態】
【００４２】
以下、図面を参照して本発明を実施するための最良の形態を説明する。
【００４３】
図１は、本発明による遊技機の一実施形態を示す斜視外観図である。図２は、前記実施の形態による遊技機に備わるリールユニットの正面図である。図３は、前記実施の形態による遊技機に備わるリールユニットの平面図である。図４は、前記実施の形態による遊技機に備わるリールユニットの右側面図である。図５は、前記実施の形態による遊技機に備わるリールユニットを昇降させる第２移動手段となるリンク機構を示す斜視図である。
【００４４】
図１において、遊技機１は、いわゆるパチスロ機であり、コイン、メダル、遊技球又はトークンなどの他、遊技者に付与された、又は付与される遊技価値の情報を記憶したカードなどの遊技媒体を用いて遊技する遊技機であるが、以下ではメダルを用いるものとして説明する。
【００４５】
最初に、本発明による遊技機の構成を説明する。図１において、遊技機１の筐体１ａには、前面扉２が開閉可能に取り付けられている。前面扉２の正面には、略垂直面としてのパネル表示部２ａと、画像の表示による演出を行う画像表示手段としての液晶表示部２ｂと、固定表示部２ｃと、が形成されている。
【００４６】
又、図１において、前面扉２の背後には、リールユニットが配置されている。つまり、リールユニットは遊技機１の筐体１ａ内に収納されている。このリールユニットは、例えば、３個のリール３Ｌ・３Ｃ・３Ｒを有している。リール３Ｌ・３Ｃ・３Ｒの各々には、遊技に必要な複数種類の図柄がその外周面に描かれており、回転自在に横一列に設けられている。そして、各リール３Ｌ・３Ｃ・３Ｒは、一定の速度で回転し（例えば、８０回転／分）、表示窓２０Ｌ・２０Ｃ・２０Ｒを介して視認可能となっている。
【００４７】
図１において、パネル表示部２ａ、液晶表示部２ｂ、及び固定表示部２ｃの下方には略水平面の台座部４が形成されている。台座部４の右側には、メダルを投入するためのメダル投入口１０が設けられている。投入されたメダルは、クレジットされるか、ゲームに賭けられる。又、台座部４の左側には、押下操作により、クレジットされているメダルを賭けるための１−ＢＥＴスイッチ１１、２−ＢＥＴスイッチ１２、及び最大ＢＥＴスイッチ１３が設けられている。
【００４８】
図１において、１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。
【００４９】
これらのＢＥＴスイッチ１１〜１３を操作することで、所定の表示ラインが有効化される。ＢＥＴスイッチ１１〜１３の操作及びメダル投入口１０にメダルを投入する操作（遊技を行うためにメダルを投入する操作）を、以下「ＢＥＴ操作」という。又、ＢＥＴスイッチ１１〜１３の上方には、操作部１７が設けられている。操作部１７は、液晶表示装置（図示せず）に遊技履歴などの情報を表示するために操作される。
【００５０】
図１において、台座部４の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部５に溜められる。メダル受け部５の上方の左右には、効果音などを出音することで音による演出を行う音演出手段としてのスピーカ９Ｌ・９Ｃが設けられている。
【００５１】
図１において、Ｃ／Ｐスイッチ１４の右側には、遊技者の操作により上記リール３Ｌ・３Ｃ・３Ｒを回転させ、図柄表示領域内で図柄の変動表示を開始するための開始操作手段としてのスタートレバー６が所定の角度範囲で回動自在に取り付けられている。
【００５２】
台座部４の前面部において、スタートレバー６の右側には、停止操作手段としての停止ボタンユニット２４が設けられている。この停止ボタンユニット２４は、３個のリール３Ｌ・３Ｃ・３Ｒの回転をそれぞれ停止させるために遊技者が押圧操作可能な停止操作部である３個の停止ボタン７Ｌ・７Ｃ・７Ｒを備えている。又、台座部４の前面部において、停止ボタンユニット２４の右側には、いわゆる四方向キー２９が設けられている。
【００５３】
ところで、前述したように、遊技者が得意とする視線で、遊技を快適に行うことができるようにするためには、個々の遊技者毎にそのリールユニットの設置位置を変化させることが必要である。このため、本実施の形態による遊技機１は、後述する構成の移動機構を備えて、この移動機構によって、選択的に表示窓に対してリールユニットを水平方向に移動させると共に、リールユニットを昇降させる。
【００５４】
図２から図４において、リールユニット３０は、リールケース３１を有している。リールケース３１には、前述のリール３Ｌ・３Ｃ・３Ｒが横一列に収納されており、モータ（図示せず）によって回転駆動される。リールケース３１の前面には複数の開口３１ａが形成されており、開口３１ａを介してリール３Ｌ・３Ｃ・３Ｒ上の図柄が視認可能となっている。
【００５５】
図２から図４において、リールユニット３０を移動させる移動機構４０は、第１移動手段となる第１移動機構部４１、及び第２移動手段となる第２移動機構部４２を有している。そして、第１移動機構部４１は、表示窓２０Ｌ・２０Ｃ・２０Ｒに対してリールユニット３０を水平方向に移動することができる（図１参照）。又、第２移動機構部４２は、表示窓２０Ｌ・２０Ｃ・２０Ｒに対してリールユニット３０を昇降することができる（図１参照）。
【００５６】
図２から図４において、リールユニット３０は、固定基板４３上に保持されている。固定基板４３の下方には、移動基板４４が固定基板４３と平行に配設されている。そして、固定基板４３と移動基板４４とは、滑動手段となる滑動機構４５を介して連結されている。滑動機構４５は、第１移動機構部４１の一部であり、複数のリニアガイド４５ａ・４５ｂと一対のレール４５ｃ・４５ｄを備えて構成されている。
【００５７】
図２から図４において、複数のリニアガイド４５ａ・４５ｂは、一対のレール４５ｃ・４５ｄの延在方向に所定の間隔をおいて、固定基板４３の底面に取り付けられている。一対のレール４５ｃ・４５ｄは、移動基板４４の表面に取り付けられ、水平方向に延びている。そして、一対のレール４５ｃ・４５ｄに複数のリニアガイド４５ａ・４５ｂがすべり結合している。したがって、複数のリニアガイド４５ａ・４５ｂは、一対のレール４５ｃ・４５ｄに案内されて滑動できる。すなわち、リールユニット３０は、滑動機構４５によって水平方向の移動のみが許容される。具体的には、滑動機構４５によって、リールユニット３０は左右方向のみに移動できる（図２参照）。
【００５８】
更に、図２から図４において、移動基板４４の下方には、台座４６が移動基板４４と平行に配置されている。台座４６は、筐体１ａの内部に保持されている。台座４６には、第２移動機構部４２の一部であるリンク機構４７が組み込まれている。リンク機構４７は、移動基板４４の底面に連結し、後述するようにして、移動基板４４を昇降させる。
【００５９】
又、図２から図４において、固定基板４３の上面には、第１モータ４８が設けられている。第１モータ４８の出力軸４８ａは、滑動機構４５の滑動方向（つまり、一対のレール４５ｃ・４５ｄの延在方向）に直交する方向に延びている。そして、出力軸４８ａの先端部にはピニオン４９が取り付けられている。一方、移動基板４４の上面には、ラック５０が設けられている。ラック５０は、一対のレール４５ｃ・４５ｄの延在方向と平行に延在している。ピニオン４９は、ラック５０と噛み合っており、ピニオン４９の回転がラック５０に伝動される。
【００６０】
この結果、図２から図４において、第１モータ４８が駆動されると、その駆動力がピニオン４９を介してラック５０に伝わり、移動基板４４に対して固定基板４３が滑動機構４５上を自走する。つまり、固定基板４３に載置されたリールユニット３０が表示窓２０Ｌ・２０Ｃ・２０Ｒに対して水平方向に移動することになる（図１参照）。
【００６１】
なお、図２から図４において、第１モータ４８、ピニオン４９、及びラック５０は、第１移動機構部４１の一部を構成している。又、固定基板４３には、リールユニット３０を着脱自在に保持されてもよい。又、台座４６は、筐体１ａの内部を仕切る棚（図示せず）に保持できる。更に、上述の例では、滑動機構４５は、一対のレール４５ｃ・４５ｄと複数のリニアガイド４５ａ・４５ｂで構成したが、例えば、一対のスライド軸とこれらスライド軸に滑り結合する軸受とによって滑動機構４５を構成するようにしてもよい。いずれにしても、滑動機構４５は固定基板４３の底面に連結して、固定基板４３の水平方向の移動のみを許容する機構であれば、どのようなものであってもよい。
【００６２】
図２から図４において、例えば、第１モータ４８は、第１モータ４８の回転速度を減速して出力する歯車減速器を直結してもよい。つまり、第１モータ４８は、歯車減速器を含んでもよい。第１モータ４８は、レバーシブルモータを用いることが好ましく、又、第１モータ４８は、リールユニット３０に隣接して固定基板４３上に保持され、出力軸４８ａを筐体１ａの背面に向けて突出するように配置している。一般に、リールユニット３０に隣接する箇所は、所定のモータを配置できる空間がある。
【００６３】
図２から図４において、第１モータ４８の出力軸４８ａの先端部に取り付けられるピニオン４９と、移動基板４４に設けられるラック５０とは、これら２軸が平行に配置されている。そして、ピニオン４９は、第１モータ４８の回転及び動力をラック５０に確実に伝動できる。回転の速い小歯車がピニオン４９であってよく、ギアの歯数が無限大であり、ピッチ円筒が平面となった回転の遅い大歯車がラック５０であってよく、ラックとピニオンが連結されるラック・ピニオン機構は、小歯車の回転運動を大歯車の直線運動に変換している。
【００６４】
ここで、ラック・ピニオン機構は、回転運動を直ちに直線運動に変換できるというメリットがある。又、ラック・ピニオン機構は、ピニオンを停止したときにラックが容易に移動しないという利点もある。更に、ラック・ピニオン機構は、ピニオンの歯数を適宜に選択すれば、ラックの微細移動も可能となり、その結果、リールユニット３０を水平方向に微細に移動できる。
【００６５】
次に、リンク機構４７の構成を説明する。図２から図５において、リンク機構４７は、一対の揺動リンク５１・５２と、一対の規制リンク５３・５４と、を備えている。一対の揺動リンク５１・５２は、それらの一端部が移動基板４４の一方の端部の両翼に回転結合している。又、一対の揺動リンク５１・５２の他端部は、台座４６の他方の端部の両翼にすべり結合している。
【００６６】
一方、図２から図５において、一対の規制リンク５３・５４は、それらの一端部が台座４６の一方の端部の両翼に回転結合している。又、一対の規制リンク５３・５４の他端部は、移動基板４４の他方の端部の両翼にすべり結合している。そして、一対の揺動リンク５１・５２の他端部同士は、連結リンク５９ｅによって回転連結されている。又、揺動リンク５１と規制リンク５３との中点同士がピン部材５３ａによって回転結合されて交差している。同様に、揺動リンク５２と規制リンク５４との中点同士がピン部材５４ａによって回転結合されて交差している。
【００６７】
図５において、台座４６の上面には、一対の軸止部材５６ａ・５６ｂが所定の距離を設けて配設されている。一対の軸止部材５６ａ・５６ｂには、一対の規制リンク５３・５４の一端部が一対のピン部材５６ｃ・５６ｄによってそれぞれ回動可能に連結している。
【００６８】
一方、図５において、一対の規制リンク５３・５４の他端部には、一対のピン部材５７ａ・５７ｂによって一対のローラ５７ｃ・５７ｄがそれぞれ保持されている。一対のローラ５７ｃ・５７ｄは、移動基板４４の底面に当接している。つまり、一対の規制リンク５３・５４の他端部は、移動基板４４の下面に沿ってスライド可能となっている。
【００６９】
又、図５において、移動基板４４の底面には、一対の軸止部材５８ａ・５８ｂが所定の距離を設けて配設されている。一対の軸止部材５６ａ・５６ｂには、一対の揺動リンク５１・５２の一端部が一対のピン部材５８ｃ・５８ｄによってそれぞれ回動可能に連結している。
【００７０】
又、一対の揺動リンク５１・５２の他端部には、一対のピン部材５９ａ・５９ｂによって一対のローラ５９ｃ・５９ｄがそれぞれ保持されている。一対のローラ５９ｃ・５９ｄは、台座４６の上面に当接している。つまり、一対の揺動リンク５１・５２の他端部は、台座４６の上面に沿ってスライド可能となっている。
【００７１】
このようにして、一対の揺動リンク５１・５２の両端部は、移動基板４４の下面に回転結合すると共に、台座４６の上面にすべり結合している。又、一対の規制リンク５３・５４の両端部は、台座４６の上面に回転結合すると共に、移動基板４４の下面にすべり結合している。
【００７２】
図２から図５において、台座４６上には、第２モータ６０が設けられている。第２モータ６０の出力軸６０ａには、傘歯車６１が取り付けられている。そして、出力軸６０ａが筐体１ａの背面に向けて突出するように、第２モータ６０を配置している。図５に示すように、台座４６上には一対の支持部材６２ａ・６２ｂが配設されている。一対の支持部材６２ａ・６２ｂは、回転軸６３の両翼近傍を回転可能に支持している。そして、回転軸６３の両端部に傘歯車６４及び傘歯車６５を取り付けている。
【００７３】
図２から図５において、回転軸６３は、第２モータ６０の出力軸６０ａと直交する方向に延びており、傘歯車６１が傘歯車６４と噛み合っている。更に、台座４６上には、一対の支持部材６６ａ・６６ｂが配設されている。一対の支持部材６６ａ・６６ｂは、ボールねじ５５の両端部を回転可能に支持している。
【００７４】
図４又は図５において、ボールねじ５５は、ボールブッシュ５５ａと連結している。ボールブッシュ５５ａは、連結リンク５９ｅの中間部に固定されている（図２参照）。ボールねじ５５の中間部には、雄ねじ（ボールねじ）５５ｂが形成されており、ボールブッシュ５５ａを進退できる。又、ボールねじ５５の一方の端部には、傘歯車６７が取り付けられている。そして、傘歯車６７が傘歯車６５と噛み合っている。
【００７５】
図４又は図５において、ボールねじ５５は、回転軸６３と直交する方向に延びている。したがって、第２モータ６０が駆動されると、回転軸６３に回転力が伝わり、回転軸６３が回転すると、ボールねじ５５に回転を伝達できる。ボールねじ５５は、ボールブッシュ５５ａが連結されているから、このボールブッシュ５５ａによって回転力がリンク機構４７の直線運動に変換されて、リンク機構４７によって移動基板４４を昇降できる。
【００７６】
上述のように、一対の規制リンク５３・５４の一端部の回転中心と一対の揺動リンク５１・５２の他端部の移動中心を結ぶ直線と、一対の規制リンク５３・５４の一端部の回転中心と一対の揺動リンク５１・５２の一端部の回転中心を結ぶ直線とは、一対の規制リンク５３・５４の一端部の回転中心で直交するように配置され、一対の揺動リンク５１・５２の他端部の進退に応じて、一対の揺動リンク５１・５２の一端部が昇降する直線運動に変換される。このような、一つのリンクの直線運動からこれと直交する方向の厳正直線運動を得るリンク機構は、「スコットラッセルの機構」と呼ばれている。
【００７７】
つまり、一対の揺動リンク５１・５２の他端部（すなわち、連結リンク５９ｅ）を一対の規制リンク５３・５４の一端部に近づけると、一対の揺動リンク５１・５２の一端部が一対の規制リンク５３・５４の一端部から遠ざかり、一対の規制リンク５３・５４の他端部が一対の揺動リンク５１・５２の他端部から遠ざかることになり、移動基板４４を上昇させることできる。なお、リンク機構４７として「スコットラッセルの機構」を用いた例について説明したが、リンク機構４７としていわゆるパンタグラフ機構や近似直線運動機構を用いるようにしてもよい。
【００７８】
一方、一対の揺動リンク５１・５２の他端部（すなわち、連結リンク５９ｅ）を規制リンク５３・５４の一端部から遠ざけると、一対の揺動リンク５１・５２の一端部が一対の規制リンク５３・５４の一端部に近づき、一対の規制リンク５３・５４の他端部が一対の揺動リンク５１・５２の他端部に近づくことになり、移動基板４４を下降させることができる。
【００７９】
このようなリンク機構４７を用いれば、リールユニット３０を微細に昇降でき、しかも「スコットラッセルの機構」を応用したリンク機構４７は、移動基板４４と台座４６と間にコンパクトに収容（配置）できるという利点がある。
【００８０】
前述したように、図１において、前面扉２には四方向キー２９が備えられ、四方向キー２９、は上下左右にスイッチが備えられている。そして、四方向キー２９は、遊技機１の制御装置（図示せず：筐体１ａに収納されている）に接続されている。遊技者が四方向キー２９を左右に操作すると、制御装置はこの操作に応答して、第１モータ４８を駆動制御する。これによって、前述したようにして、リールユニット３０が水平方向に移動することになる。例えば、四方向キー２９を左操作すると、リールユニット３０は水平方向左側に移動し、四方向キー２９を右操作すると、リールユニット３０は水平方向右側に移動する。
【００８１】
一方、遊技者が四方向キー２９を上下に操作すると、制御装置はこの操作に応答して、第２モータ６０を駆動制御する。これによって、前述したようにして、リールユニット３０が上下方向に移動することになる（つまり、昇降することになる）。例えば、四方向キー２９を上操作すると、リールユニット３０は上昇し、四方向キー２９を下操作すると、リールユニット３０は下降することになる。
【００８２】
このようにして、遊技者は四方向キー２９を操作すれば、リールユニット３０を水平方向に移動させると共に、昇降させることができ、自分自身の最適な位置にリールユニット３０を移動させて、リール３Ｌ・３Ｃ・３Ｒの視認性を高めることができる。つまり、遊技者は四方向キー２９の操作により、遊技者の得意な視線に合致するように、リールユニット３０の設置位置を調整することができる。
【００８３】
なお、第１モータ４８及び／又は第２モータ６０の駆動を、店舗の店員などが遠隔操作できるようにしてもよく、このようにすれば、店舗側において、客層に合わせて遠隔操作によりリールユニット３０の設置位置を調整することができる。
【図面の簡単な説明】
【００８４】
【図１】本発明の一実施の形態による遊技機の外観を示す斜視図である。
【図２】前記実施の形態による遊技機に備えられるリールユニットを移動する移動機構を示す正面図である。
【図３】前記実施の形態による遊技機に備えられるリールユニットを移動する移動機構を示す平面図である。
【図４】前記実施の形態による遊技機に備えられるリールユニットを移動する移動機構を一部破断して示す側面図である。
【図５】前記移動機構で用いられるリンク機構を示す斜視図である。
【符号の説明】
【００８５】
１  遊技機
１ａ  筐体
２  前面扉
３Ｌ・３Ｃ・３Ｒ  リール
２０Ｌ・２０Ｃ・２０Ｒ  表示窓
３０  リールユニット
４１  第１移動機構部（第１移動手段）
４２  第２移動機構部（第２移動手段）
【図１】
2009028329.tif 000003
【図２】
2009028329.tif 000004
【図３】
2009028329.tif 000005
【図４】
2009028329.tif 000006
【図５】
2009028329.tif 000007